(57)【要約】      （修正有）【課題】明所においても、輝度、コントラストを確保することができ、可搬性に優れ、製造が容易なスクリーンを得ること。【解決手段】プロジェクタから自身の表面に入射される光を拡散させて出射するスクリーン１であって、裏面および表面のうち少なくとも一方に複数の構造体を有するフィルム１２、を備える。複数の構造体のそれぞれは、プロジェクタから入射されてスクリーン１から出射する光が、スクリーンの前方のあらかじめ定められた角度範囲に出射するよう形成された形状を有する。【選択図】図４
2018097119.tif 000002
【特許請求の範囲】
【請求項１】
プロジェクタから自身の表面に入射される光を拡散させて出射するスクリーンであって、
裏面および表面のうち少なくとも一方に複数の構造体を有するフィルム、
を備えることを特徴とするスクリーン。
【請求項２】
複数の構造体は、前記プロジェクタから入射されて前記スクリーンから出射する光の出射方向のうち左右方向および上下方向のうち少なくとも一方を制御するための構造を有することを特徴とする請求項１に記載のスクリーン。
【請求項３】
前記フィルムの裏面に形成された金属薄膜、を備えることを特徴とする請求項１または２に記載のスクリーン。
【請求項４】
前記複数の構造体のそれぞれは、前記プロジェクタから入射されて前記スクリーンから出射する光が、前記スクリーンの前方のあらかじめ定められた角度範囲に出射するよう形成された形状を有することを特徴とする請求項１または２に記載のスクリーン。
【請求項５】
前記構造体は、裏面の方向に凸となる形状の曲面であることを特徴とする請求項１から４のいずれか１つに記載のスクリーン。
【請求項６】
前記構造体は、裏面の方向に凹となる曲面であることを特徴とする請求項１から４のいずれか１つに記載のスクリーン。
【請求項７】
前記プロジェクタから入射されて前記スクリーンから出射する光の出射方向のうち左右方向を制御するための前記構造体である第１の構造体と、
前記プロジェクタから入射されて前記スクリーンから出射する光の出射方向のうち上下方向を制御するための前記構造体である第２の構造体と、
を備えることを特徴とする請求項１から６のいずれか１つに記載のスクリーン。
【請求項８】
前記第１の構造体は前記スクリーンの裏面に設けられた曲面であり、
前記第２の構造体は前記スクリーンの表面に設けられた曲面であることを特徴とする請求項７に記載のスクリーン。
【請求項９】
前記第１の構造体はあらかじめ定められた左右角度範囲に出射するように形成された反射リニアフレネルレンズであり、第２の構造体はあらかじめ定められた上下角度範囲に出射するように定められたリニアフレネルレンズ又はシリンドリカルレンズであることを特徴とする請求項７または８に記載のスクリーン。
【発明の詳細な説明】
【技術分野】
【０００１】
本実施形態は、プロジェクタにより映像または画像が投影されるスクリーンに関する。
【背景技術】
【０００２】
近年、ディスプレイの大画面化が進んでいる。大画面化においては、製品重量および可搬性の観点から、液晶ディスプレイより、プロジェクタおよびスクリーンを用いたプロジェクションシステムが有利である。しかしながら、プロジェクションシステムでは、拡散光を制御することは技術的に難しく、明所での輝度、コントラストの確保が難しい。このため、プロジェクションシステムは、暗所使用を前提とした用途に限られ、これが、今後期待される大型サイネージ、教育用または会議用といった用途への普及の大きな課題となっている。
【０００３】
プロジェクションシステムにおいて拡散光を制御する技術としては、下記特許文献１に記載されている技術がある。
【先行技術文献】
【特許文献】
【０００４】
【特許文献１】特許第３５６３３９７号公報
【発明の概要】
【発明が解決しようとする課題】
【０００５】
しかしながら、上記特許文献１に記載されているスクリーンは、光制御層の製造が容易ではなく量産が難しいという問題がある。
【０００６】
本発明は、上記に鑑みてなされたものであって、明所においても、輝度、コントラストを確保することができ、可搬性に優れ、製造が容易なスクリーンを得ることを目的とする。
【課題を解決するための手段】
【０００７】
本発明の一つの実施形態によれば、本発明にかかるスクリーンは、プロジェクタから自身の表面に入射される光を拡散させて出射するスクリーンであって、裏面および表面のうち少なくとも一方に複数の構造体を有するフィルム、を備えることを特徴する。
【発明の効果】
【０００８】
本発明にかかるスクリーンは、明所においても、輝度、コントラストを確保することができ、可搬性に優れ、製造が容易であるという効果を奏する。
【図面の簡単な説明】
【０００９】
【図１】図１は、第１の実施の形態のプロジェクションシステムを上方向すなわちプロジェクタの上部の方向からみた図である。
【図２】図２は、第１の実施の形態のプロジェクションシステムを横方向すなわち水平方向からみた図である。
【図３】図３は、第１の実施の形態のスクリーンを模式的に示す図である。
【図４】図４は、スクリーンの右端の曲面である図３に示した曲面Ａ付近を拡大した図である。
【図５】図５は、スクリーンの中央の曲面である図３に示した曲面Ｂ付近を拡大した図である。
【図６】図６は、スクリーンの左端の曲面である図３に示した曲面Ｃ付近を拡大した図である。
【図７】図７は、図３から図６を用いて説明した曲面が形成されたスクリーンを模式的に示す鳥瞰図である。
【図８】図８は、試作スクリーンの曲面Ａにより拡散制御された光の強度の測定結果を示す図である。
【図９】図９は、曲面Ａとして形成した試作スクリーンに正規方向および非正規の方向から光を入射させた場合の測定結果の比較を示す図である。
【図１０】図１０は、第２の実施の形態のスクリーンを示す模式図である。
【図１１】図１１は、第２の実施の形態のスクリーンの上端の曲面である図１０に示した曲面Ｄ付近を拡大した図である。
【図１２】図１２は、第２の実施の形態のスクリーンの中央の曲面である図１０に示した曲面Ｅ付近を拡大した図である。
【図１３】図１３は、第２の実施の形態のスクリーンの下端の曲面である図１０に示した曲面Ｆ付近を拡大した図である。
【図１４】図１４は、図１０から図１３を用いて説明した曲面が形成されたスクリーンを模式的に示す鳥瞰図である。
【図１５】図１５は、曲面Ｅとして形成した試作スクリーンの上下方向の拡散特性の一例を示す図である。
【図１６】図１６は、試作スクリーンの曲面Ａの部分と試作スクリーンの曲面Ｅの部分とを組み合わせたものの左右方向の拡散特性の一例を示す図である。
【図１７】図１７は、曲面Ｂと曲面Ｅを組み合わせた試作スクリーンの左右方向の拡散特性の一例を示す図である。
【図１８】図１８は、曲面Ｂと曲面Ｅを組み合わせた試作スクリーンの左右方向および上下方向の拡散特性の一例を示す図である。
【図１９】図１９は、第３の実施の形態のスクリーンを示す模式図である。
【図２０】図２０は、第３の実施の形態のスクリーンを示す模式図である。
【図２１】図２１は、第４の実施の形態のスクリーンを示す模式図である。
【発明を実施するための形態】
【００１０】
以下に添付図面を参照して、実施形態にかかるスクリーンを詳細に説明する。なお、これらの実施形態により本発明が限定されるものではない。
【００１１】
（第１の実施の形態）
図１は、本発明にかかるプロジェクションシステムの第１の実施の形態の構成例を示す図である。図１は、本発明にかかるプロジェクションシステムを上方向すなわちプロジェクタの上部の方向からみた図を示している。図２は、本発明にかかるプロジェクションシステムを横方向すなわち水平方向からみた図を示している。図１および図２に示した配置例では、プロジェクタ２は、スクリーン１の前方の、スクリーン１の中央すなわちスクリーン１の幾何中心の延長線上に配置されている。なお、以下では、プロジェクタ２がスクリーン１の前方のスクリーン１の幾何中心の延長線上に配置される例について説明する。しかしながら、本実施の形態のプロジェクタ２の配置はこの例に限定されず、スクリーン１の前方であり、かつあらかじめスクリーン１との相対的配置が定義されていればよい。例えば、プロジェクタ２は、スクリーン１の前方のスクリーン１の上部または下部に配置されてもよいし、スクリーン１の前方のスクリーン１の水平方向の端部に配置されてもよい。なお、後述するように、本実施の形態のスクリーン１はあらかじめ定義されたプロジェクタ２を元に設計されるが、定義されたプロジェクタ２の位置と実際に使用されるプロジェクタ２の位置とは厳密に一致していなくても実用上は問題ない。
【００１２】
以下では、プロジェクタ２からスクリーン１をみたときに右側を右と呼び、プロジェクタ２からスクリーン１をみたときに左側となる方向を左と呼ぶ。
【００１３】
本実施の形態のプロジェクションシステムは、フロントプロジェクションシステムと呼ばれるシステムであり、図１および図２に示すように、本実施の形態のプロジェクションシステムは、スクリーン１およびプロジェクタ２を備える。プロジェクタ２は、スクリーン１に映像または画像を投影する。範囲３は、スクリーン１を観察する観察者が存在すると仮定される範囲の一例を示している。範囲３は、後述するように、スクリーン１の設計時に、観察者が存在すると仮定した範囲、すなわち本実施の形態のプロジェクションシステムにおいて想定される観察範囲を示すものであり、実際にはスクリーン１を観察する観察者が範囲３以外に存在してもよい。
【００１４】
プロジェクタ２によりスクリーン１に投影された映像または画像を、範囲３に位置する観察者が観察する場合、スクリーン１には、プロジェクタ２から入射される光以外に外光も入射される。したがって、観察者は、プロジェクタ２から入射される光と外光とがスクリーン１において拡散制御された光を観察することになる。このため、プロジェクタ２から入射される光の強度が一定の場合、外光が多くなるほどスクリーン１に投影された映像または画像は外光の影響により品質が劣化する。詳細には、スクリーン１に投影された映像または画像は、白く曇ったような画像となり、コントラストが低下する。
【００１５】
上述した画像の品質の劣化を防ぐため、本実施の形態のスクリーン１は、プロジェクタ２から入射された光を、所望の方向（所望の範囲）のみに拡散させ、それ以外の方向に拡散しないように設計するために、明るさを向上させ相対的に外光より明るくさせる。所望の方向の一例は、スクリーン１を基準とした範囲３に対応する方向である。所望の方向は、目的に応じて任意に設定することができる。スクリーン１の観察者の存在する範囲を広く設定したい場合には、範囲３を広く設定すればよい。また、本実施の形態では、後述するように、プロジェクタ２から入射された光はスクリーン１において所望の方向に集中して拡散されるため、所望の方向の角度範囲を狭くすれば、遠方の観察者であってもスクリーン１に投影された映像または画像を視認することができる。
【００１６】
詳細には、本実施の形態のスクリーン１は、裏面および表面のうち少なくとも一方に微細な複数の構造体が形成され裏面に金属反射膜が設けられたフィルム、を有する。構造体の一例は、曲面である。本実施の形態は、構造体が曲面であるとして説明する。スクリーン１の表面とは、画像または映像が投影される側の面であり、スクリーン１の裏面とは、スクリーン１の表面の裏側となる面である。各曲面の大きさは、スクリーン１に投影される映像または画像の１画素より小さく、各曲面の形状は、スクリーンの投影面の左右方向または上下方向の断面において円弧または円弧に近い形状である。各曲面の形状は、プロジェクタ２から入射して各曲面を通過して金属反射膜で反射して出射する光が、観察者が存在すると仮定される範囲３内となるように定められる。このように、本実施の形態のスクリーン１では、各構造体によって、プロジェクタ２から入射された光がスクリーン１から出射する方向が制御されている。以下、プロジェクタ２から入射された光の本実施の形態のスクリーン１における拡散とは、プロジェクタ２から入射されスクリーン１から出射される光の方向が所望の方向にはいるよう制御されていることを示す。このように、構造体の形状により定まっている拡散すなわち構造体の形状により制御されている拡散を、以下、拡散制御と呼ぶ。
【００１７】
図３は、本実施の形態のスクリーン１を模式的に示す図である。図３は、本実施の形態のプロジェクションシステムを上部からみた図を示している。図３では、スクリーン１が各曲面を有することが明確となるように曲面を拡大して記載している。実際には、スクリーン１は、例えば、一辺が数ｍから数十ｍ程度の大きさであるのに対し、各曲面の大きさは１画素より小さい。したがって、１画素は、例えば１ｍｍ四方程度であるとすると、曲面は１ｍｍより小さい。なお、スクリーン１の大きさおよび画素の大きさは上述した例に限定されない。
【００１８】
図３に示すように、プロジェクタ２から入射される光すなわち入射光は、スクリーン１において様々な方向に反射されすなわち拡散制御される。図４は、スクリーン１の右端の曲面である図３に示した曲面Ａ付近を拡大した図であり、図５は、スクリーン１の中央の曲面である図３に示した曲面Ｂ付近を拡大した図であり、図６は、スクリーン１の左端の曲面である図３に示した曲面Ｃ付近を拡大した図である。図４から図６に示すように、本実施の形態のスクリーン１は、金属薄膜１１とフィルム１２を有する。詳細には、本実施の形態のスクリーン１は、プロジェクタ２から自身の表面に入射される光を拡散させて出射するスクリーンであって、裏面に複数の構造体を有するフィルム１２と、フィルム１２の裏面に形成された金属薄膜１１と、を備える。フィルム１２は、熱可塑性樹脂、紫外線硬化性樹脂である。具体的には、前者には、アクリル樹脂、ポリカーボネート樹脂などがあり、後者はアクリル樹脂などがある。尚、後者にはポリエチレンテレフタレート（ＰＥＴ）樹脂、エポキシ樹脂、アクリル樹脂などの基体上に紫外線硬化樹脂を薄膜形成した複合フィルムも含まれる。金属薄膜１１としては、例えば、アルミ、銀などの薄膜を用いることができる。
【００１９】
本実施の形態のスクリーン１は、左右方向については、プロジェクタ２から入射して各曲面で反射された光が範囲３内を通過するように設計される。すなわち、図４から図６に例示した曲面Ａ，Ｂ，Ｃは、それぞれの形状が、プロジェクタ２から入射して各曲面で反射された光が範囲３内を通過するように設定される。曲面Ａ，Ｂ，Ｃ以外の曲面についても同様である。換言すると、複数の構造体のそれぞれは、プロジェクタ２から入射されてスクリーン１から出射する光が、スクリーンの前方のあらかじめ定められた角度範囲に出射するよう形成された形状を有する。また、本実施の形態の複数の構造体は、プロジェクタ２から入射されてスクリーン１から出射する光の出射方向のうち左右方向を制御するための第１の構造体である。
【００２０】
図４に示すように、曲面Ａには隣接して接続部αが形成されている。接続部αは隣接した２つの曲面を接続するための部分であり、接続部αの形状はどのようなものであってもよい。図４および図６に示した例では、接続部αの形状は直線状の形状としている。なお、隣接する全ての曲面間には接続部αが存在するが、図５および図６では、符号を省略している。
【００２１】
以下では、プロジェクタ２から入射して１つの曲面により様々な方向に反射される光のうち、最も右側に反射される光を右方向拡散光とよぶ。同様に、プロジェクタ２から入射して１つの曲面により様々な方向に反射される光のうち、最も左側に反射される光を左方向拡散光とよぶ。本実施の形態では、各曲面は、スクリーン１の裏面側に凸となる円弧または円弧に近い形状であるため、各曲面の左端部で反射される光が右方向拡散光となり、各曲面の右端部で反射される光が左方向拡散光となる。
【００２２】
図３および図４において、θａは曲面Ａにおける右方向拡散光の方向を示す角度であり、θｂは曲面Ａにおける左方向拡散光の方向を示す角度であり、θｏは、曲面Ａの中心軸方向を示す角度である。θｐは、曲面Ａにおけるプロジェクタ２からの光の入射角である。θａ，θｂ，θｏ，θｐは、上部からみた平面におけるスクリーン１の法線とのなす角で定義される。ここで、スクリーン１の法線とは、スクリーン１が曲面を有さないと仮定した場合すなわちスクリーン１が平面であると仮定した場合のスクリーン１の法線である。また、θａ，θｂ，θｏ，θｐは反時計回りを正とする。プロジェクタ２から入射された曲面Ａで拡散制御される光が、範囲３内に収まるようにするためには、θａが範囲３の右端に対応する角度であり、θｂが範囲３の左端に対応する角度であればよい。なお、曲面Ａにおいて拡散制御される光の強度が、θａからθｂまでの間でなるべく一様となるためには、曲面Ａの形状は円弧または円弧に近い方がよい。
【００２３】
図３および図５において、θａは曲面Ｂにおける右方向拡散光の方向を示す角度である、θｂは曲面Ｂにおける左方向拡散光の方向を示す角度であり、θｏは、曲面Ｂの中心軸方向を示す角度である。θｐは、曲面Ｂにおけるプロジェクタ２からの光の入射角である。θａ，θｂ，θｏ，θｐは、上部からみた平面におけるスクリーン１の法線とのなす角で定義される。また、θａ，θｂ，θｏ，θｐは反時計回りを正とする。プロジェクタ２から入射された曲面Ｂで拡散制御される光が、範囲３内に収まるようにするためには、θａが範囲３の右端に対応する角度であり、θｂが範囲３の左端に対応する角度であればよい。曲面Ａと同様に、曲面Ｂにおいて拡散制御される光の強度が、θａからθｂまでの間でなるべく一様となるためには、曲面Ｂの形状は円弧または円弧に近い方がよい。
【００２４】
図３および図６において、θａは曲面Ｃにおける右方向拡散光の方向を示す角度であり、θｂは曲面Ｂにおける左方向拡散光の方向を示す角度であり、θｏは、曲面Ｂの中心軸方向を示す角度である。θｐは、曲面Ｃにおけるプロジェクタ２からの光の入射角である。θａ，θｂ，θｏ，θｐは、上部からみた平面におけるスクリーン１の法線とのなす角で定義される。また、θａ，θｂ，θｏ，θｐは反時計回りを正とする。プロジェクタ２から入射された曲面Ｂで拡散制御される光が、範囲３内に収まるようにするためには、θａが範囲３の右端に対応する角度であり、θｂが範囲３の左端に対応する角度であればよい。曲面Ａと同様に、曲面Ｃにおいて拡散制御される光の強度が、θａからθｂまでの間でなるべく一様となるためには、曲面Ｃの形状は円弧または円弧に近い方がよい。
【００２５】
以上、両端の曲面である曲面Ａ，Ｃおよび中央の曲面である曲面Ｂを例に説明したが、他の曲面も、同様に、プロジェクタ２から入射されて該曲面で拡散制御される光が範囲３を通過するように形状が決定される。
【００２６】
以上説明したように、本実施の形態の構造体の一例は、あらかじめ定められた左右角度範囲に出射するように形成された反射リニアフレネルレンズ又はこれに類似な構造を有する構造体である。なお、以上説明した例では、スクリーン１が複数の構造体として複数の曲面を有する例を説明したが、各曲面の替わりに各構造体として断面が多角形となる形状を用いてもよい。すなわち上述した曲面Ａ，Ｂ，Ｃなどの１つの曲面の替わりに、直線を複数繋げた形状の断面を有する面を用いてもよい。また、曲線を複数繋げた形状の断面を有する面を、上述した各曲面の替わりに各構造体として用いてもよい。また、1つ以上の曲線と１つ以上の直線とを組み合わせて繋げた形状の断面を有する面を、上述した各曲面の替わりに各構造体として用いてもよい。これらの場合、これらの各構造体の左端部で反射される光が右方向拡散光となり各曲面の右端部で反射される光が左方向拡散光となるとは限らないが、右方向拡散光が範囲３の右端を通過し、左方向拡散光が範囲３の左端を通過するように形状が定められていればよい。
【００２７】
なお、各曲面を円弧または円弧に近い形状とする場合、各円弧で拡散制御された光が範囲３を通過し、また範囲３内での強度が均一となるようにするためには、光追跡等の解析により、各曲面の形状を決定していくことになる。しかしながら、範囲３内での強度はおおよそ一様であれば実用上は問題ない。各曲面を形成する円弧の半径および曲面の繰り返しピッチのうちの少なくとも一方は、スクリーン１内の左右方向の位置によって変化する。曲面の繰り返しピッチは、図４のΔＸとして示したように、左右方向における各曲面の長さである。曲面を形成する円弧の半径をスクリーン１内の左右方向の位置によらず一定として設計する場合、設計および製造が容易になるという利点がある。この場合、各円弧の半径は同一であるから、中心軸方向を左右方向の位置により決定することになる。プロジェクタ２が左右方向においてスクリーン１の中央に配置される場合、左右方向の中央の曲面である曲面Ｂでは、各曲面の中心軸方向は、スクリーン１の法線に一致する。すなわち、曲面Ｂでは、各曲面の中心軸方向とスクリーン１の法線とがなす角は０度である。各曲面の中心軸方向とスクリーン１の法線とがなす角は、スクリーン１の左右の両端に近づくにつれて大きくなる。左右の両端の曲面Ａ，Ｃにおいて、各曲面の中心軸方向とスクリーン１の法線とがなす角の大きさは最大となる。曲面Ａの中心軸方向とスクリーン１の法線とがなす角と、曲面Ｃの中心軸方向とスクリーン１の法線とがなす角とは方向は逆向きである。なお、このような円弧は、同じ方向を向いた相似形の形状であれば大きさを変化させても拡散特性は変わらない。従って、この条件のもとで円弧の大きさを全体に、あるいはスクリーンの場所ごとに任意に変化させても良い。
【００２８】
ここで、スクリーンの左右反射拡散用の曲面が微小な円弧で形成される場合について、その設計手順を図４のスクリーン右端を例にとって説明する。
【００２９】
（手順１）まず１つの円弧の両端部分に対するプロジェクタからの入射光の角度をθpとする。これがフィルムに入射すると、表面で屈折して次の式（１）で表される角度θp’となる。
θp’＝sin-1｛（1/n）sinθp｝    …（１）
ここでnはフィルムの屈折率である。
【００３０】
（手順２）円弧の両端で反射された上記の光に着目し、それぞれのフィルム内の角度をθa’およびθb’とすると、これらはフィルム表面から空気中に出るときに再び屈折してθaおよびθbとなる。ただし、θaおよびθbは会議室などにおける必要な観察者の方向に合わせて与えられるので、これより、フィルム内の角度θa’およびθb’は以下の式（２）、（３）のように表される。
θa’＝sin-1｛（1/n）sinθa｝    …（２）
θb’＝sin-1｛（1/n）sinθb｝    …（３）
【００３１】
（手順３）上記のようにθa’、θb’およびθp’が決まれば、これに必要な反射面の法線方向は以下の式（４）、（５）で与えられる。
θsa＝(θa’+θp’)/2
＝[sin-1｛（1/n）sinθa｝＋sin-1｛（1/n）sinθp｝]/2    …（４）
θsb＝(θb’+θp’)/2
＝[sin-1｛（1/n）sinθb｝＋sin-1｛（1/n）sinθp｝]/2    …（５）
すなわち、円弧の両端の面の法線方向が上記のθsaおよびθsbで与えられることになる。
【００３２】
（手順４）また、円弧の両端の角度が決まればこれらによって、以下の式（６）により円弧の中心角方向θoが求められる。
θo＝(θsa+θsb)/2
＝[sin-1｛（1/n）sinθa｝＋sin-1｛（1/n）sinθb｝]/2＋sin-1｛（1/n）sinθp｝
…（６）
【００３３】
（手順５）さらに円弧の繰り返しピッチΔＸと円弧の半径Ｒのいずれかを任意の値に決めれば、他方が決まる。たとえばＲを一定の値に定めた場合、ΔＸは以下の式（７）により求められる。
ΔＸ＝Ｒ(sinθsa-sinθsb)      …（７）
以上の式で示されるように、円弧は、同じ方向を向いた相似形の形状であれば大きさは任意に変化させても良い。
なお、隣り合う曲面の間には接続部が存在する。厳密にはこれを考慮して計算する必要があるが、ここでは基本的手法を概説するために省略している。
【００３４】
図７は、図３から図６を用いて説明した曲面が形成されたスクリーン１を模式的に示す鳥瞰図である。図７に示すように、スクリーン１は左右方向において曲面が形成されているが、上下方向については、直線状であるため図７に示すように、ストライプ状に曲面が形成された形状となる。
【００３５】
なお、フィルム１２の裏面または表面に、上述した複数の構造体による拡散制御の効果を消失させない程度に、ランダムに曲面などが形成されていてもよい。これは、ストライプの繰り返し形状が均一に近い場合には回折現象による特定方向の反射光の色付きが生じるのを抑えたり、上下方向に拡散性をもたせたりするのに有効となる。このランダムに形成された曲面などは厳密に拡散する方向を制御するためのものではなく、主要な拡散制御はストライプ形状によって行われ、それに付加する形で確率的に拡散する方向が制御されている。ランダムな曲面により、スクリーン１の全体から出射する方向が所望の方向にはいる範囲内で拡散することになる。
【００３６】
また、スクリーン１の材質自体に光を散乱させる特性を有する材質を用いてもよい。例えば、フィルム１２の材質に微小な球体等を少量混ぜておくことで、わずかに光が散乱される。なお、光を散乱させる特性を有する材質はこの例に限定されず、屈折率の差を利用した材質等どのような材質であってもよい。スクリーン１の材質自体に光を散乱させる特性を有する材質を用いることにより、上述したランダムな曲面を形成する場合と同様に、ストライプの繰り返し形状が均一に近い場合には回折現象による特定方向の反射光の色付きが生じるのを抑えたり、上下方向に拡散性をもたせたりするのに有効となる。
【００３７】
スクリーン１の製造方法としては、どのような方法を用いてもよいが、例えば、上述した複数の構造体の形状をロール金型または平らな板金型に形成し、この金型を用いてフィルムに転写する技術を用いて、複数の構造体を有するフィルム１２を形成する。複数の構造体を有するフィルム１２を形成した後、フィルム１２の裏面に金属薄膜１１を形成する。これにより、低い製造コストでスクリーン１を製造することが可能となる。なお、フィルム１２の裏面は、複数の構造体が形成される側の面である。金属薄膜１１が形成される面は、スクリーン１の裏面となる。
【００３８】
次に、スクリーン１を用いることの効果を確認するための測定結果について説明する。上述したスクリーン１の前段階として試作スクリーンについて説明する。試作スクリーンは、上述したスクリーン１の曲面Ａ（右端の曲面），曲面Ｂ（中央の曲面），曲面Ｃ（非左端の曲面）を有するように形成されている。図８の特性２０１は、試作スクリーンの曲面Ａで拡散制御された光の強度の測定結果を示す図である。図８の特性２０１に示した例は、曲面Ａにおける光の入射角すなわちプロジェクタ２からの光の入射角θｐを−３０度としている。図８の特性２０１ではプロジェクタ２に相当する方向からすなわち入射角−３０度にて試作スクリーンの曲面Ａの部分に光を入射させて、試作スクリーンの曲面Ａの部分から拡散制御された光の強度を角度ごとに測定した結果を示している。横軸の受光角度は、法線との間の角度として示され、反時計回りを正としている。なお、−３０度付近の光強度が０となっているのは、入射光源があるために受光器をこの角度に設定できないことによるものである。図８の特性２０１に示すように、この試作スクリーンにより拡散制御された光は、概ね受光角度が０度を中心とした範囲である−２０度から４０度の間に収まっていることがわかる。試作スクリーンの曲面Ａの部分に入射された光は、−２０度から４０度に集中していることと同時に測定面と直交する面方向には拡散しないため、曲面を有さない一般的なスクリーンにより拡散された光に比べ、−２０度から４０度において受光される光の強度は大幅に強くなる。たとえば、図８に標準白色板の反射特性２０２を比較のために示してあるが、０度付近で比較すると、試作スクリーンの光強度２０１は約３０倍となっていることがわかる。なお、標準白色板の反射特性２０２の３０度付近にピークが現れているが、これは−３０度からの入射光の正反射成分に相当するものである。
【００３９】
図９は、試作スクリーンの各曲面により別の方向から光を入射させた場合の測定結果の比較を示す図である。測定結果２０１は、上述した試作スクリーンの曲面Ａに、図８と同様に入射角−３０度から光を入射させて、曲面Ａによって拡散制御された光の強度を角度ごとに測定した結果を示している。測定結果２０３は、同じ曲面Ａに＋３０度から光を入射させた場合の特性を示したものである。
【００４０】
図９に示した測定結果２０１の例では、第１の試作スクリーンに正しい入射角により光が入射されている。これに対し、正しい入射角により光が入射されていない場合の測定結果２０３では受光角度が０度を中心とした範囲とはならず、左側にずれている。このことから、正しい入射角では所望の特性が得られていることがわかる。逆に、設計条件からずれた場合には所望の特性が得られないことから、試作スクリーンの設計概念と動作が妥当であることが示されている。
【００４１】
なお、スクリーン１を保護するために、スクリーン１の両面または片面に保護膜を設けてもよい。保護膜としては、上述したスクリーン１の拡散制御の特性を劣化させないものであればどのようなものを用いてもよい。
【００４２】
以上のように、複数の微細体を有するスクリーン１を用いることで、明所においても高輝度と高コントラスト表示を容易に実現できる。また、本実施の形態のスクリーン１は、フィルム１２の厚さを薄く形成することで、薄型、軽量化されたシート形状とすることができる。このため、スクリーン１は巻き取りも可能であり、持ち運び移動が容易であるとともに、タイリングなどによる大型ディスプレイ用スクリーンとして使用する際も短時間かつ省面積での設置が可能である。したがって、可搬性および設置作業の容易化に大きく貢献できる。さらに、スクリーン１はシンプルな構成であり、製造が容易であり、低コストでの高い生産性が期待でき、プロジェクションシステムにおける大型スクリーンを安価に提供することが可能となる。本実施の形態のスクリーン１は、今後、市場拡大が期待されるサイネージ、教育用などのディスプレイとして提供が可能であり、市場の更なる拡大に貢献可能である。
【００４３】
（第２の実施の形態）
図１０は、本発明にかかる第２の実施の形態のスクリーン１ａを示す模式図である。図１０は、スクリーン１ａおよびプロジェクタ２を横からからみた模式図を示している。すなわち、図１０では、スクリーン１ａの上下方向の断面が示されている。第１の実施の形態では、プロジェクタ２から入射されてスクリーン１により拡散制御される光が左右方向において範囲３内に収めるためのスクリーン１の構造について説明した。本実施の形態では、上下方向においても所望の範囲に収めるためのスクリーン１ａについて説明する。
【００４４】
第１の実施の形態では、フィルム１２の裏面に曲面等の構造体を形成して、その上に金属薄膜１１を形成した。換言すると、金属薄膜１１が、構造体の形状を有しており、金属薄膜１１により形成される構造体の形状により、金属薄膜１１によって反射される方向を調整することにより、スクリーン１における左右方向の拡散角度を調整している。以下、第１の実施の形態のように、金属薄膜１１の形状による拡散角度の調整を、反射による調整と呼ぶ。
【００４５】
本実施の形態では、第１の実施の形態と同様に、左右方向の拡散角度に対して反射による調整を行うとともに、上下方向については図１０に示すように、透過による調整を実施する。スクリーン１ａの左右方向の断面は第１の実施の形態のスクリーン１の左右方向の断面と同様である。第１の実施の形態では、上下方向の断面については特に限定はなかったが、本実施の形態では、図１０に示すように、スクリーン１ａは、表面側すなわち映像または画像が投影される側に、複数の構造体を有する。構造体の一例は、曲面である。本実施の形態は、構造体が曲面であるとして説明する。各曲面の大きさは１画素より小さい。図１１では、スクリーン１ａが各曲面を有することが明確となるように曲面を拡大して記載している。第１の実施の形態で述べたとおり、実際には、スクリーン１ａは、例えば、一辺が数ｍから数十ｍ程度の大きさである。
【００４６】
図１１は、スクリーン１ａの上端の曲面である図１０に示した曲面Ｄ付近を拡大した図であり、図１２は、スクリーン１ａの中央の曲面である図１０に示した曲面Ｅ付近を拡大した図であり、図１３は、スクリーン１ａの下端の曲面である図１０に示した曲面Ｆ付近を拡大した図である。なお、各曲面の間には、第１の実施の形態と同様に接続部が存在する。本実施の形態のスクリーン１ａのように、上下透過拡散用の曲面が微小な円弧で形成される場合について例にとると、その設計手順は実施の形態１で説明した屈折と反射を組み合わせた概念と同様である。このため、設計手順の詳細は省略する。本実施の形態の上下透過拡散用の曲面すなわち構造体は、プロジェクタ２から入射されてスクリーン１から出射する光の出射方向のうち上下方向を制御するための第２の構造体である。
【００４７】
図１１から図１３に示すように、本実施の形態のスクリーン１ａは、金属薄膜１１とフィルム１３を有する。金属薄膜１１は、第１の実施の形態と同様に裏面に形成される。フィルム１３は、第１の実施の形態のフィルム１２と同様に、例えば熱可塑性樹脂、紫外線硬化性樹脂である。
【００４８】
本実施の形態のスクリーン１ａは、上下方向については、プロジェクタ２から入射して各曲面で反射された光が範囲３内を通過するように設計される。第１の実施の形態では、範囲３を左右方向に対して決定したが、本実施の形態では左右方向に加えて上下方向にも範囲３を定める。すなわち、図１０から図１３に例示した曲面Ｄ，曲面Ｅ，曲面Ｆは、それぞれの形状が、プロジェクタ２から入射して各曲面で反射された光が範囲３内を通過するように設定される。曲面Ｄ，曲面Ｅ，曲面Ｆ以外の曲面についても同様である。このように、本実施の形態では、フィルム１３の曲面形状とその方向を調整することにより、各曲面において上下方向に拡散制御される光の方向を調整する。
【００４９】
以下では、プロジェクタ２から入射して１つの曲面により様々な方向に反射される光のうち、最も上側に反射される光を上拡散光とよぶ。同様に、プロジェクタ２から入射して１つの曲面により様々な方向に反射される光のうち、最も下側に反射される光を下拡散光とよぶ。本実施の形態では、各曲面は、スクリーンの表面側に凸となる円弧または円弧に近い形状であるため、各曲面の上端部で反射される光が上拡散光となり、各曲面の下端部で反射される光が下拡散光となる。
【００５０】
図１０および図１１において、θａは曲面Ｄにおける上拡散光の方向を示す角度であり、θｂは曲面Ｄにおける下拡散光の方向を示す角度であり、θｏは、曲面Ｄの中心軸方向を示す角度である。θｐは、曲面Ｄにおけるプロジェクタ２からの光の入射角である。θａ，θｂ，θｏ，θｐは、横からみた平面におけるスクリーン１ａの法線とのなす角で定義される。ここで、スクリーン１ａの法線とは、スクリーン１ａが曲面を有さないと仮定した場合すなわちスクリーン１が平面であると仮定した場合のスクリーン１ａの法線である。プロジェクタ２から入射された曲面Ｄで拡散制御される光が、範囲３内に収まるようにするためには、θａが範囲３の上端に対応する角度であり、θｂが範囲３の下端に対応する角度であればよい。なお、曲面Ｄにおいて拡散制御される光の強度が、θａからθｂまでの間でなるべく一様となるためには、曲面Ｄの形状は円弧または円弧に近い方がよい。曲面Ｄの形状は、プロジェクタ２から入射されてフィルム１３を通過し金属薄膜１１で反射されて再びフィルム１３を通過してフィルム１３から出射される光が、範囲３内となるように、フィルム１３における屈折を考慮して決定される。
【００５１】
図１０および図１２において、θａは曲面Ｅにおける上拡散光の方向を示す角度であり、θｂは曲面Ｅにおける下拡散光の方向を示す角度であり、θｏは、曲面Ｅの中心軸方向を示す角度である。θｐは、曲面Ｅにおけるプロジェクタ２からの光の入射角である。θａ，θｂ，θｏ，θｐは、横からみた平面におけるスクリーン１ａの法線とのなす角で定義される。ここで、スクリーン１ａの法線とは、スクリーン１ａが曲面を有さないと仮定した場合すなわちスクリーン１ａが平面であると仮定した場合のスクリーン１ａの法線である。プロジェクタ２から入射された曲面Ｅで拡散される光が、範囲３内に収まるようにするためには、θａが範囲３の上端に対応する角度であり、θｂが範囲３の下端に対応する角度であればよい。なお、曲面Ｅにおいて拡散される光の強度が、θａからθｂまでの間でなるべく一様となるためには、曲面Ｅの形状は円弧または円弧に近い方がよい。曲面Ｅの形状は、プロジェクタ２から入射されてフィルム１３を通過し金属薄膜１１で反射されて再びフィルム１３を通過してフィルム１３から出射される光が、範囲３内となるように、フィルム１３における屈折を考慮して決定される。
【００５２】
図１０および図１３において、θａは曲面Ｆにおける上拡散光の方向を示す角度であり、θｂは曲面Ｆにおける下拡散光の方向を示す角度であり、θｏは、曲面Ｅの中心軸方向を示す角度である。θｐは、曲面Ｆにおけるプロジェクタ２からの光の入射角である。θａ，θｂ，θｏ，θｐは、横からみた平面におけるスクリーン１ａの法線とのなす角で定義される。ここで、スクリーン１ａの法線とは、スクリーン１ａが曲面を有さないと仮定した場合すなわちスクリーン１ａが平面であると仮定した場合のスクリーン１ａの法線である。プロジェクタ２から入射された曲面Ｆで拡散制御される光が、範囲３内に収まるようにするためには、θａが範囲３の上端に対応する角度であり、θｂが範囲３の下端に対応する角度であればよい。なお、曲面Ｆにおいて拡散制御される光の強度が、θａからθｂまでの間でなるべく一様となるためには、曲面Ｆの形状は円弧または円弧に近い方がよい。曲面Ｆの形状は、プロジェクタ２から入射されてフィルム１３を通過し金属薄膜１１で反射されて再びフィルム１３を通過してフィルム１３から出射される光が、範囲３内となるように、フィルム１３における屈折を考慮して決定される。
【００５３】
以上、スクリーン上端、中央、下端のそれぞれに対応する曲面Ｄ，Ｅ，Ｆを例に説明したが、他の曲面も、同様に、プロジェクタ２から入射されてフィルム１３から出射する光が範囲３を通過するように形状が決定される。
【００５４】
以上説明したように、本実施の形態の構造体の一例は、あらかじめ定められた上下角度範囲に出射するように定められたリニアフレネルレンズ又はこれと類似な構造を有する構造体であるである。又は本実施の形態の構造体として、シリンドリカルレンズ又はこれと類似な構造を有する構造体を用いてもよい。
【００５５】
なお、以上説明した例では、スクリーン１ａが複数の構造体として複数の曲面を有する例を説明したが、第１の実施の形態と同様に、この曲面は相似形であれば大きさを任意に変化させても良い。また、各曲面の替わりに各構造体として断面が多角形となる形状を用いてもよい。また、曲線を複数繋げた形状の断面を有する面を、上述した各曲面の替わりに各構造体として用いてもよい。
【００５６】
図１４は、図１０から図１３を用いて説明した曲面が形成されたスクリーン１ａを模式的に示す鳥瞰図である。図１４に示すように、スクリーン１ａは、裏面に左右方向において曲面が形成されており、上下方向については、表面に曲面が形成された形状となる。
【００５７】
スクリーン１ａの製造方法としては、どのような方法を用いてもよいが、例えば、上述した複数の構造体の形状をロール金型または平らな板金型に形成し、この金型を用いてフィルムに転写する技術を用いて、複数の構造体を有するフィルム１３を形成する。この際、第１の実施の形態で述べた裏面に形成される複数の構造体用の金型と、本実施の形態で述べた表面に形成される複数の構造体用の金型との両方を用意し、両方の金型で挟み込んでフィルム１３を形成することもできる。または、第１の実施の形態で述べたフィルム１２を形成し、表面に複数の構造体を有するフィルムを形成し、２つのフィルムを張り合わせることでフィルム１３を形成してもよい。フィルム１３を形成した後、フィルム１３の裏面に第１の実施の形態と同様に金属薄膜１１を形成する。
【００５８】
なお、本実施の形態では、左右方向について第１の実施の形態と同様の方法により反射により調整し、上下方向を屈折により調整したスクリーン１ａについて説明したが、用途によっては、上下方向を屈折により調整し左右方向については曲面を形成しないスクリーンを用いてもよい。すなわち、本発明にかかるスクリーンは、裏面および表面のうち少なくとも一方に複数の構造体である複数の曲面を有していればよい。また、左右方向を屈折により調整し、上下方向を反射により調整してもよい。ただし、反射による調整の方が透過による調整より拡散角度を大きく設計できるためそれを要求される方向を反射により調整する方が一般には望ましい。
【００５９】
次に、スクリーン１ａを用いることの効果を確認するための測定結果について説明する。上述したスクリーン１ａの前段階としてスクリーン１ａの曲面Ｅ（中央の曲面）を形成した試作スクリーンについて説明する。図１５は、スクリーンの全曲面を上述したスクリーン１ａの中央の曲面である曲面Ｅとして形成した試作スクリーンにより拡散された光の強度の測定結果を示す図である。試作スクリーンの曲面Ｅは、スクリーン１ａの上下方向において中央となる曲面が複数形成されたスクリーンである。すなわち、試作スクリーンの曲面Ｅは、プロジェクタ２の入射角が０度であることを前提に設計された曲面を有する。試作スクリーンの曲面Ｅの部分は、範囲３に対応する角度は上下方向に−３０度から３０度であるとの前提で曲面の形状が定められている。試作スクリーンの曲面Ｅの部分は、左右方向の調整はなされていない。
【００６０】
特性２０４は、試作スクリーンの曲面Ｅに上下方向に入射角０度で光を入射させた場合に、試作スクリーンの曲面Ｅから出射される光を上下方向の角度ごとに受光した際の角度（受光角度）ごとの光の強度を示している。特性２０５は、標準白色板に入射角０度で光を入射させた場合に、標準白色板から出射される光を上下方向の角度ごとに受光した際の角度ごとの光の強度を示している。なお、標準白色板は入射角によらず全方向に光を拡散させるために、上下方向の拡散特性である特性２０５は図８の左右方向の拡散特性である特性２０２とほぼ一致していることが確認される。
【００６１】
図１５の特性２０４から、この試作スクリーンの曲面Ｅにより拡散された光は、概ね受光角度が０度を中心とした範囲である−３０度から３０度の所望の角度に収まっていることがわかる。このように、試作スクリーンの曲面Ｅに入射された光は、−３０度から３０度に集中しているため、曲面を有さない一般的なスクリーンにより拡散された光に比べ、−３０度から３０度において受光される光の強度は大幅に強くなる。たとえば、図１５に示した標準白色板の反射特性２０５と比較すると、特性２０４に示した試作スクリーンの光強度は２５〜３０倍となっていることがわかる。
【００６２】
図１６は、試作スクリーンの曲面Ａの部分と試作スクリーンの曲面Ｅの部分とを組み合わせたものの左右方向の拡散特性の一例を示す図である。試作スクリーンの曲面Ａは、第１の実施の形態で述べたとおり、スクリーン１の右端部分の曲面である。試作スクリーンの曲面Ａの部分と試作スクリーンの曲面Ｅの部分とを組み合わせたものを、曲面Ａと曲面Ｅを組み合わせた試作スクリーンと呼ぶ。特性２０６は、曲面Ａと曲面Ｅを組み合わせた試作スクリーンに、左右方向は入射角３０度、上下方向は入射角０度で光を入射させた場合に、左右方向の角度に応じて受光された光の強度を示している。特性２０２は、図８と同様に、標準的な白色板の左右方向の拡散特性を示したものである。図１６に示すように、曲面Ａと曲面Ｅを組み合わせた試作スクリーンにおいて拡散制御された光は、−２０度〜＋３０度の方向に概ね収束していることがわかる。なお、特性２０６と特性２０２とを比較すると、曲面Ａと曲面Ｅを組み合わせた試作スクリーンは、標準的な白色板に比べ、約４〜５倍の明るさが得られることがわかる。これは、上述のようにスクリーンによる拡散を、設計した所望の範囲に収束させたことにより得られる効果であり、本発明の有効性が実証されている。
【００６３】
図１７は、試作スクリーンの曲面Ｂの部分と試作スクリーンの曲面Ｅの部分とを組み合わせたものの特性の一例を示す図である。試作スクリーンの曲面Ｂの部分と試作スクリーンの曲面Ｅの部分とを組み合わせたものを、以下、曲面Ｂと曲面Ｅを組み合わせた試作スクリーンと呼ぶ。特性２０７は、曲面Ｂと曲面Ｅを組み合わせた試作スクリーンに、左右方向および上下方向ともに入射角０度で光を入射させた場合に、左右方向の角度に応じて受光された光の強度を示している。特性２０５は標準的な白色板に、左右方向および上下方向ともに入射角０度で光を入射させた場合に、左右方向の角度に応じて受光された光の強度を示している。図１７に示すように、左右方向は概ね−４０度〜＋４０度で光の強度が強くなり、この範囲に曲面Ｂと曲面Ｅを組み合わせた試作スクリーンにより拡散制御された光が収束していることがわかる。
【００６４】
図１８は、曲面Ｂと曲面Ｅを組み合わせた試作スクリーンの左右方向および上下方向の拡散特性の一例を示す図である。測定結果２０７は、図１７と同様に、左右方向および上下方向ともに入射角０度で光を入射させた場合に、左右方向の角度に応じて受光された光の強度を示している。測定結果２０８は、曲面Ｂと曲面Ｅを組み合わせた試作スクリーンに、左右方向および上下方向ともに入射角０度で光を入射させた場合に、上下方向の角度に応じて受光された光の強度を示している。図１８に示すように、左右方向は概ね−４０度〜＋４０度、上下方向は−３０度〜＋３０度の範囲で光の強度が強くなり、この範囲に曲面Ｂと曲面Ｅを組み合わせた試作スクリーンにより拡散された光が収束していることがわかる。
【００６５】
以上のように、本実施の形態では、第１の実施の形態の左右方向の調整に加え、上下方向を屈折を用いて調整したスクリーン１ａについて説明した。本実施の形態では、プロジェクタから入射されてスクリーンにおいて拡散制御される光の方向を左右と上下の両方を所望の範囲に収めることができる。これにより、第１の実施の形態と同様の効果が得られるとともに、さらに上下方向についても観測される光の強度を調整することができる。
【００６６】
（第３の実施の形態）
図１９、図２０は、本発明にかかる第３の実施の形態のスクリーン１ｂを示す模式図である。図１９は、スクリーン１ｂの左右方向の断面を示している。第１の実施の形態では、スクリーン１の裏面側に凸となる形状の曲面を用いたが、図１９に示した例では、スクリーン１ｂに形成される曲面を裏面側に凹となる形状としている。図１９に示すように、スクリーン１ｂは、金属薄膜１４とフィルム１５とを有する。フィルム１５は、裏面に複数の構造体である複数の曲面を有し、金属薄膜１４は裏面に形成されている。このように、裏面側に凹となる形状の曲面を用いても、第１の実施の形態と同様に各曲面において拡散制御される光が所望の範囲となるように曲面の形状を決定すれば、左右方向の拡散を調整することができる。
【００６７】
図２０は、スクリーン１ｂの上下方向の断面を示している。図２０に示すように、フィルム１５は表面側に凹となる形状の曲面を有する。このように曲面によりフィルム１５を透過する光の方向と長さを調整することにより、上下方向の拡散を調整する。
【００６８】
以上述べたように、第１の実施の形態および第２の実施の形態とは異なる形状の曲面を用いても、左右方向および上下方向の拡散を調整することができる。なお、左右方向を第１の実施の形態で述べた方法で調整し、上下方向を本実施の形態の図２０に示したような曲面を用いて調整するなどのように、第１の実施の形態または第２の実施の形態と、本実施の形態で述べた曲面による調整とを組み合わせて用いることもできる。
【００６９】
（第４の実施の形態）
図２１は、本発明にかかる第４の実施の形態のスクリーン１ｃを示す模式図である。図２１は、スクリーン１ｃを模式的に示した鳥瞰図である。図２１に示すように、本実施の形態のスクリーン１ｃは、上下方向調整用の曲面でもあり左右方向調整用の曲面でもある複数の曲面すなわち複数の構造体が裏面に形成されたフィルム１９と、フィルム１９の裏面に形成された金属薄膜１８とを有する。
【００７０】
第２の実施の形態および第４の実施の形態では、左右方向、上下方向の拡散を、反射による調整、透過による調整を用いて調整した。本発明は、これに限定されず、図２１に示すように、上下方向と左右方向とのそれぞれの構造体を裏面に形成することにより、上下方向と左右方向の両方を反射により調整することもできる。
【００７１】
同様に、上下方向と左右方向とのそれぞれの構造体をフィルムの表面に形成することにより、上下方向と左右方向の両方を透過により調整することもできる。この場合、第２の実施の形態で述べたように、裏面に金属薄膜が形成される。
【００７２】
なお、以上述べた各実施の形態では、フィルムの裏面に金属薄膜が形成される例を説明したが、金属薄膜に限定されず金属板などを用いてもよい。例えば、フィルムを金属の壁面等に貼り付けてスクリーンとして用いてもよい。
【００７３】
また、図２１の例では、スクリーン１ｃの裏面に金属薄膜１８が形成されているが、図２１に示したスクリーン１ｃの裏と表を逆にして、金属薄膜１８が表となるようにしてもよい。
【産業上の利用可能性】
【００７４】
以上のように、本発明にかかるスクリーンは、プロジェクタにより映像または画像が投影されるスクリーンに適している。
【符号の説明】
【００７５】
１，１ａ，１ｂ，１ｃ  スクリーン、２  プロジェクタ、３  範囲、Ａ，Ｂ，Ｃ，Ｄ，Ｅ，Ｆ  曲面。
【図１】
2018097119.tif 000003
【図２】
2018097119.tif 000004
【図３】
2018097119.tif 000005
【図４】
2018097119.tif 000006
【図５】
2018097119.tif 000007
【図６】
2018097119.tif 000008
【図７】
2018097119.tif 000009
【図８】
2018097119.tif 000010
【図９】
2018097119.tif 000011
【図１０】
2018097119.tif 000012
【図１１】
2018097119.tif 000013
【図１２】
2018097119.tif 000014
【図１３】
2018097119.tif 000015
【図１４】
2018097119.tif 000016
【図１５】
2018097119.tif 000017
【図１６】
2018097119.tif 000018
【図１７】
2018097119.tif 000019
【図１８】
2018097119.tif 000020
【図１９】
2018097119.tif 000021
【図２０】
2018097119.tif 000022
【図２１】
2018097119.tif 000023